(57)【要約】【課題】熱効率を高めるとともに、煮汁等の器具内への進入を防止し、長期間にわたってきれいな状態で器具を使用することができる、使い勝手のよいガスコンロを提供する。【解決手段】混合ガス経路を有すると共に、上面に開口を設けた環状頭部を有するバーナボディ８と、上面に中心側に向かって放射状に円周等間隔に炎口１６を配設し、前記炎口１６の断面は一端を他端面より上方に突出させた形状とし、かつ、上面が外周から中心側に向けて中心側が外周より高くなるように傾斜面を有したバーナキャップ９とを備え、前記バーナキャップ９を前記バーナボディ８の環状頭部に着脱自在に載置し、前記バーナキャップ９の上面側で旋回流火炎を形成するようにしたものである。【選択図】図１
2007139312.tif 000002
【特許請求の範囲】
【請求項１】
混合ガス経路を有すると共に、上面に開口を設けた環状頭部を有するバーナボディと、
上面に中心側に向かって放射状に円周等間隔に炎口を配設し、前記炎口の断面は一端を他端面より上方に突出させた形状とし、かつ、上面が外周から中心側に向けて中心側が外周より高くなるように傾斜面を有したバーナキャップとを備え、
前記バーナキャップを前記バーナボディの環状頭部に着脱自在に載置し、前記バーナキャップの上面側で旋回流火炎を形成するようにしたコンロバーナ。
【請求項２】
混合ガス経路を有すると共に、上面に開口を設けた環状頭部を有するバーナボディと、
上面に中心側に向かって放射状に円周等間隔に炎口を配設し、前記炎口の断面は一端を他端面より上方に突出させた形状とし、かつ、上面が外周から中心側に向けて水平面を有したバーナキャップとを備え、
前記バーナキャップを前記バーナボディの環状頭部に着脱自在に載置し、前記バーナキャップの上面側で旋回流火炎を形成するようにしたコンロバーナ。
【請求項３】
バーナキャップの中央部に被加熱物の温度を検出する温度センサーを配設した請求項１または２記載のコンロバーナ。
【請求項４】
バーナキャップの表面に耐熱表面処理塗装を施した請求項１〜３のいずれか１項記載のコンロバーナ。
【請求項５】
バーナキャップをプレス成型の板金で構成した請求項１〜４のいずれか１項記載のコンロバーナ。
【発明の詳細な説明】
【背景技術】
【０００１】
従来、この種のコンロバーナにおいて、バーナキャップの中心に向かって放射状円周等間隔に、一端を他端面より上方に突出させた断面の炎口を設け、その炎口部の両端には平面部を設けて、上面が外周から中心側に向けて中心側が外周より低くなるような傾斜面を有した構成のものがある。（例えば、特許文献１参照）
図８は、特許文献１に記載された従来のコンロバーナを示すものである。図８に示すように、バーナボディ８にバーナキャップ９が嵌合搭載され、バーナキャップの中心に向かって放射状円周等間隔に、一端を他端面より上方に突出させた断面の炎口１０が設けられており、ガスシール部は中央の２次空気孔通過孔１１の円筒部１２、外周の円筒部１３の２ヶ所で構成され、バーナキャップの上面が外周から中心側に向けて中心側が外周より低くなるように傾斜している。
【特許文献１】特開２００１−２０１０１７号公報
【発明の開示】
【発明が解決しようとする課題】
【０００２】
しかしながら、前記従来の構成では、バーナキャップの上面が外周から中心側に向けて中心側が外周より低くなるように傾斜しているので、バーナキャップ上面に滴下した煮こぼれ液等が外周から中心側方向に流れ、前記バーナキャップの中央部に開口した２次空気通過孔１１に流入し、前記開口壁面を伝って器具内部まで滴下し底面に溜まってしまって、使用者が掃除できないという課題を有していた。
【０００３】
本発明は、前記従来の課題を解決するもので、バーナキャップの上面側に全ての炎口を形成し、被加熱物との距離を短く、かつ、均一に加熱することで熱効率の向上を図ったコンロバーナにおいて、バーナキャップ上面に滴下した煮こぼれ液等を中心側から外周方向に流れさせ、煮こぼれ液等が器具内部に侵入しないようにして、掃除がし易く、使い勝手のよいコンロバーナを提供することを目的とする。
【課題を解決するための手段】
【０００４】
前記従来の課題を解決するために、本発明のコンロバーナは、混合ガス経路を有すると共に、上面に開口を設けた環状頭部を有するバーナボディと、上面に中心側に向かって放射状に円周等間隔に炎口を配設し、前記炎口の断面は一端を他端面より上方に突出させた形状とし、かつ、上面が外周から中心側に向けて中心側が外周より高くなるように傾斜面を有したバーナキャップあるいは上面が外周から中心側に向けて水平面を有したバーナキャップとを備え、前記バーナキャップを前記バーナボディの環状頭部に着脱自在に載置し、前記バーナキャップの上面側で旋回流火炎を形成するようにしたものである。
【０００５】
上記発明によれば、混合ガスを供給するバーナボディの環状頭部に着脱自在に取り付けられるバーナキャップの上面に火炎を形成する炎口を放射状に配置し、かつ、上面が外周から中心側に向けて中心側が外周より高くなるように傾斜面を有した構成としているため、被加熱物を加熱している最中に被加熱物内の調理物等の煮汁等が煮こぼれしたりする現象が生じた際に、煮こぼれ汁が被加熱物の側面を伝って滴下、或いは直接的にバーナキャップの上面に滴下した場合、この煮こぼれ汁はバーナキャップの上面を流れ、中心側が外周より高い傾斜面に沿ってバーナキャップの外周へと流れる。従って、被加熱物からの煮汁が炎口へ入り込んで炎口が詰まるという現象がなくなり、炎口詰まりによる燃焼時の炎口負荷が大きくなることで生じる燃焼炎の吹き飛び現象や吹き消え現象等が生じないので安定した燃焼状態が維持される。また、煮こぼれ汁がバーナキャップの中央部に開口した二次空気流通孔の壁面を伝って器具内部に滴下することもなくなるため、器具内に侵入し
た煮汁を除去するための掃除の必要性がなく、長期間にわたってきれいな状態で器具を使用することができる。
【０００６】
また、バーナキャップの上面に形成した放射状の炎口からのガスは斜め上方に速度を有して噴出されるために、旋回流を形成してガスが噴出され、炎口に形成された燃焼炎は旋回燃焼を呈する。従って、旋回燃焼にて被加熱物を加熱すると、燃焼ガスは旋回流によって強制的に攪拌される現象が生じるので乱流状態になる。この乱流状態の燃焼ガスが被加熱物表面を流れるので被加熱物の表面と燃焼ガス間に生じる温度境界層が薄くなることで被加熱物と燃焼ガス間の熱伝達係数が大きくなる。よって、被加熱物に燃焼ガスから伝わる熱量が多くなる。以上のコンロバーナを搭載したガスコンロにあっては、熱効率の高い省エネのガスコンロが提供できるのである。
【０００７】
また、旋回流が生じることで、旋回流の周囲の空気にも旋回流によって誘発された旋回現象が生じているので、燃焼時に燃焼炎と燃焼用二次空気間の拡散係数が大きくなり、燃焼炎に十分な二次空気供給がなされて完全燃焼が得られる。この完全燃焼によって一酸化炭素等が発生しない安全なガスコンロが提供できるのである。
【０００８】
また、炎口は中心側が高い傾斜面を有して火炎が外側斜め上向きとなることにより、円周方向へ噴き出す力と、排気熱が上方向からさらに鍋底を伝って排出される力により旋回流が生じて、中央の二次空気通過孔からより多くの二次空気を吸引することができ良好な燃焼が得られる。さらには鍋底とバーナ間を近づけることができ省エネ・熱効率を向上させることができる。
【発明の効果】
【０００９】
本発明のコンロバーナは、熱効率を向上させた省エネルギーで、吹き飛び現象や吹き消え現象に強い安定した燃焼状態を確保するとともに、煮こぼれによる煮汁等の器具内への進入を防止し、長期間にわたってきれいな状態で器具を使用することができる、使い勝手のよいガスコンロを提供することができる。
【発明を実施するための最良の形態】
【００１０】
第１の発明は、混合ガス経路を有すると共に、上面に開口を設けた環状頭部を有するバーナボディと、上面に中心側に向かって放射状に円周等間隔に炎口を配設し、前記炎口の断面は一端を他端面より上方に突出させた形状とし、かつ、上面が外周から中心側に向けて中心側が外周より高くなるように傾斜面を有したバーナキャップとを備え、前記バーナキャップを前記バーナボディの環状頭部に着脱自在に載置し、前記バーナキャップの上面側で旋回流火炎を形成するようにしたことを特徴とするものである。
【００１１】
第２の発明は、混合ガス経路を有すると共に、上面に開口を設けた環状頭部を有するバーナボディと、上面に中心側に向かって放射状に円周等間隔に炎口を配設し、前記炎口の断面は一端を他端面より上方に突出させた形状とし、かつ、上面が外周から中心側に向けて水平面を有したバーナキャップとを備え、前記バーナキャップを前記バーナボディの環状頭部に着脱自在に載置し、前記バーナキャップの上面側で旋回流火炎を形成するようにしたことを特徴とするものである。
【００１２】
そして、第１の発明および第２の発明は、混合ガスを供給するバーナボディの環状頭部に着脱自在に取り付けられるバーナキャップの上面に火炎を形成する炎口を放射状に配置し、かつ、上面が外周から中心側に向けて中心側が外周より高くなるように傾斜面を有した構成としているため、被加熱物を加熱している最中に被加熱物内の調理物等の煮汁等が煮こぼれしたりする現象が生じた際に、煮こぼれ汁が被加熱物の側面を伝って滴下、或いは直接的にバーナキャップの上面に滴下した場合、この煮こぼれ汁はバーナキャップの上
面を流れ、中心側が外周より高い傾斜面に沿ってバーナキャップの外周へと流れる。従って、被加熱物からの煮汁が炎口へ入り込んで炎口が詰まるという現象がなくなり、炎口詰まりによる燃焼時の炎口負荷が大きくなることで生じる燃焼炎の吹き飛び現象や吹き消え現象等が生じないので安定した燃焼状態が維持される。
【００１３】
また、煮こぼれ汁がバーナキャップの中央部に開口した二次空気流通孔の壁面を伝って器具内部に滴下することもなくなるため、器具内に侵入した煮汁を除去するための掃除の必要性がなく、長期間にわたってきれいな状態で器具を使用することができる。
【００１４】
また、バーナキャップの上面に形成した放射状の炎口からのガスは斜め上方に速度を有して噴出されるために、旋回流を形成してガスが噴出され、炎口に形成された燃焼炎は旋回燃焼を呈する。従って、旋回燃焼にて被加熱物を加熱すると、燃焼ガスは旋回流によって強制的に攪拌される現象が生じるので乱流状態になる。この乱流状態の燃焼ガスが被加熱物表面を流れるので被加熱物の表面と燃焼ガス間に生じる温度境界層が薄くなることで被加熱物と燃焼ガス間の熱伝達係数が大きくなる。よって、被加熱物に燃焼ガスから伝わる熱量が多くなる。以上のコンロバーナを搭載したガスコンロにあっては、熱効率の高い省エネのガスコンロが提供できるのである。
【００１５】
また、旋回流が生じることで、旋回流の周囲の空気にも旋回流によって誘発された旋回現象が生じているので、燃焼時に燃焼炎と燃焼用二次空気間の拡散係数が大きくなり、燃焼炎に十分な二次空気供給がなされて完全燃焼が得られる。この完全燃焼によって一酸化炭素等が発生しない安全なガスコンロが提供できるのである。
【００１６】
また、炎口は中心側が高い傾斜面を有して火炎が外側斜め上向きとなることにより、円周方向へ噴き出す力と、排気熱が上方向からさらに鍋底を伝って排出される力により旋回流が生じて、中央の二次空気通過孔からより多くの二次空気を吸引することができ良好な燃焼が得られる。さらには鍋底とバーナ間を近づけることができ省エネ・熱効率を向上させることができる。
【００１７】
第３の発明は、バーナキャップの中央部に被加熱物の温度を検出する温度センサーを配設したことを特徴とするものである。
【００１８】
そして、上面に中心側が高い傾斜面を有して炎口を設けるとともに、中央部に二次空気流通用の開口を設け、その開口に温度センサーを配設することで、火炎が外側斜め上向き旋回流を形成して鍋底を加熱することになるため、中央部に配置した温度センサーに対して火炎の熱的影響を受けにくくなり、かつ、火炎が形成する旋回流で中央部の開口から二次空気を吸引して温度センサーの周囲にエアーカーテンを形成して火炎の影響を抑制することができ、正確な鍋底温度の検出が可能となる。
【００１９】
第４の発明は、バーナキャップの表面に耐熱表面処理塗装を施すことを特徴とするものである。
【００２０】
そして、バーナキャップの耐腐食性を向上させることができるとともに、バーナ表面の温度を下げることができ、火炎の炎口からの逆火現象を防ぐことが可能となる。
【００２１】
第５の発明は、バーナキャップをプレス成型の板金で構成したことを特徴とするものである。
【００２２】
そして、炎口の断面形状として一端を他端より突出させた切り起こし構成とすることで、プレス加工により寸法精度の高い炎口を一体的に形成することができ、加工性を飛躍的
に向上させることができ、かつ、バーナキャップの熱容量を小さくすることで、火炎からの発熱が効率的に鍋底に作用し、熱効率が向上することができる。
【００２３】
以下、本発明の実施形態について、図面を参照しながら説明する。なお、この実施形態によって本発明が限定されるものではない。
【００２４】
（実施の形態１）
図１は、本発明のコンロバーナを搭載したガス調理器の上面図を示すものであり、図２は同ガス調理器の正面図を示すものである。
【００２５】
図において、キャビネット１の上に天板２が設置されており、前記天板２の材質はガラスで構成されている。天板２の右手前にはハイカロリー用のバーナ３、左手前には標準カロリー用のバーナ４、中央奥には小カロリー用のバーナ５が搭載され、天板２の上部には鍋を支持するためのゴトク６が各バーナ毎に載置されている。天板２の手前には各コンロの点火、消火および火力調節を行うスイッチ及び動作状態を表示する表示器を備えた操作表示部７が設けられている。そして、上記３つのバーナ３，４，５のうち、手前側２つのバーナ３，４は上面に火炎を形成するタイプのバーナを採用し、外径の大きさを変更することでハイカロリー用バーナと標準カロリー用バーナを区別し、中央奥側のバーナ５は外周方向に火炎を形成する外向炎タイプのバーナを採用し、小カロリーのバーナにおいて効果的に被加熱物を加熱する火炎形態を確保できるようにしている。
【００２６】
図３は本発明の第１の実施形態におけるコンロバーナの断面図、図４はバーナキャップの炎口部断面図、図５はバーナキャップの全体斜視図である。
【００２７】
以下、本実施の形態におけるコンロバーナの構成について、ハイカロリー用バーナ３を用いて説明するが、標準カロリー用バーナ４についても同様の構成を有するものであり、説明は省略する。
【００２８】
図において、コンロバーナ３は、上面に開口を設けた環状頭部を有し供給されるガスと燃焼用空気を混合するバーナボディ８と、このバーナボディ８に嵌合搭載されるバーナキャップ９で構成され、該バーナキャップ９は、ステンレス材等でプレス加工し、ガスシール部は中央の二次空気通過孔１０の円筒部１１、外周の円筒部１２の２ヶ所で構成されている。バーナボディ８にはバーナキャップ９が載置されて二次空気通過孔１０が構成されている。
【００２９】
また、バーナキャップ９の上面側に凹部１３と凸部１４をバーナキャップ９の中心に向けて放射状に交互に配置構成している。凹部１３はバーナキャップ９の中央からバーナキャップ９外周方向に中央側が高くなるように傾斜し、凹部１３の凹量はバーナキャップ９の外周ほど大きく構成してバーナキャップ９の外周壁１５で最大量に構成した。凸部１４に一端を他端面より上方に突出させた断面形状を有する炎口Ａ１６を中心側に向かって放射状に配設して主炎口部１７を形成しており、炎口Ａ１６の形状は、一端１８を他端面１９より上方に突出させた形状でプレス加工にて炎口スリット巾２０を形成し、炎口スリット巾２０のガス噴き出しが斜め上方を向くようにしたものである。
【００３０】
主火炎２１がやや外向きの円周に沿って斜め上方に流れることにより旋回流が起こり、バーナキャップ９の中央の二次空気通過孔１０より二次空気を吸引して供給する。炎口Ａ１６部は主火炎２１がやや外向きの斜め上向きとなることにより、円周方向へ噴き出す力と、排気熱が上方向からさらに被加熱物２２の底を伝って排出される力により旋回流が生じて、中央二次空気通過孔１０からより多くの二次空気を吸引する。
【００３１】
バーナキャップ９の外方２３に被覆体２４が設けられてバーナキャップ９の外周壁１５との構成で主炎口部１７の外方２３に開口Ａ２５と外方２３の下方に開口Ｂ２６を有した放電空間部２７を構成し、放電空間部２７に点火電極２８を設けて点火電極２８に対応した放電空間部２７の上部２９に位置する部分に凸状の放電ターゲット３０を構成し、点火電極２８と放電ターゲット３０間の放電空間部２７と対向するバーナキャップ９の外周壁１５には点火炎口部３１を形成し、バーナボディ８より供給される混合ガスを噴出して衝突流れを形成すると共に、点火炎口部３１の略中間部に放電空間部２７を配設した点火部が構成されている。
【００３２】
３２は立ち消え安全装置の熱電素子で、熱電素子３２と対向するバーナキャップ９の外周壁１５には一端を他端面より突出させた断面を有する炎口Ｄを対向させて配置した熱電素子加熱部３３を形成し、バーナボディ８より供給される混合ガスを噴出して衝突流れを形成すると共に、熱電素子加熱部３３の略中間部に熱電素子３２が配置されている。
【００３３】
天板２の上面に載置したゴトク３４に被加熱物２２が載せられてガスコンロとして使用される。３５は点火炎口部３１の放電空間部２７に形成された点火衝突火炎である。３６はバーナ外周壁１５に構成した熱電素子加熱部３３にガスの噴出による衝突流によって形成した立ち消え安全装置の燃焼の有無を検知する熱電素子３２を加熱する衝突火炎である。
【００３４】
これにより、バーナボディ８の環状頭部に着脱自在に取り付けられるバーナキャップ９の上面に凹部１３と凸部１４を設け，凸部１４に一端１８を他端面１９より上方に突出させた断面形状を有する炎口Ａ１６を中心側に向かって放射状に配設して主炎口部１７を形成し、炎口Ａ１６間の凹部１３を中心側に比して凹量を大きくして外周壁１５側に中心側が高くなるように傾斜させたバーナキャップ９で構成したコンロバーナ３をガスコンロに搭載していることにより、このガスコンロの使用を開始すると、主炎口部１７にてバーナボディ８から供給されたガスを燃焼させて被加熱物２２を加熱している最中に被加熱物２２内の調理物等の煮汁等が煮こぼれしたりする現象が生じた際に、煮こぼれ汁は被加熱物２２の側面を伝って滴下、或いは直接的にバーナキャップ９の上面に滴下する。この煮こぼれした煮こぼれ汁は、バーナキャップ９の上面を流れる。この流れは、凸部１４に比して底面になる凹部１３へと流れるので凹部１３が流れの流路の役目を果たし、凹部１３がバーナキャップ９の外周側１５に中心側が高くなるように傾斜面を有して構成されているのでバーナキャップ９の外周へと流れる。
【００３５】
従って、被加熱物２２から煮こぼれした煮汁が炎口へ直接的に煮こぼれしない限り炎口Ａ１６が詰まる現象が生じないので、炎口Ａ１６の詰まりによる燃焼時の炎口負荷が大きくなることで生じる燃焼時の燃焼炎の吹き飛び現象、吹き消え現象等が生じないので安定した燃焼状態が維持される。よって、バーナキャップ９外方に設けた点火電極部２８への点火時のガス供給、或いは、同位置に設けた立ち消え安全装置の熱電素子３２加熱用の燃焼に異常が生じることなく、正常現象が維持される。さらに、凸部１４に炎口Ａ１６を設けて炎口Ａ１６の両側に凹部１３を設けて構成したことで凹部１３が被加熱物２２等からの煮こぼれに対しての流路となり、煮こぼれ案内の効果をもたらすと同時に外側に傾斜していることで煮こぼれがコンロバーナ３の上面の開口からガスコンロ内への流入するのを防止するので安定した安全な使い勝手の良好なガスコンロが提供できるのである。
【００３６】
また、主炎口部１７は主火炎２１が斜め上向きとなることにより、円周方向へ噴き出す力と、排気熱が上方向からさらに被加熱物２２の底を伝って排出される力により旋回流が生じて、中央の二次空気通過孔１０からより多くの二次空気を吸引することができ良好な燃焼を得ることができる。従って、旋回燃焼にて被加熱物２２を加熱すると、燃焼ガスは旋回流によって強制的に攪拌される現象が生じるので乱流状態になる。この乱流状態の燃
焼ガスが被加熱物２２表面を流れるので被加熱物２２の表面と燃焼ガス間に生じる温度境界層が薄くなることで被加熱物２２と燃焼ガス間の熱伝達係数が大きくなる。よって、被加熱物２２に燃焼ガスから伝わる熱量が多くなる。
【００３７】
以上のコンロバーナ３を搭載したガスコンロにあっては、熱効率の高い省エネのガスコンロが提供できるのである。また、攪拌によって良好な燃焼が得られているので、被加熱物２２底とコンロバーナ３間距離を近づけることができ省エネ・熱効率を向上させることができる。
【００３８】
また、点火電極２８は放電空間部２７を構成した被覆体２４にて上方を覆われているために、被加熱物２２等から調理中に煮汁等が飛散したりこぼれたりしても、濡れたり或いは汚れたりすることがなくなるので、電気的なリークが生じることなく確実に放電するので確実な点火による使い勝手の良いガスコンロが提供できるのである。
【００３９】
また、点火されるまでは放電空間部２７にガスの一部が流入しているが点火と同時に炎口Ａ１６に形成される燃焼炎の燃焼速度或いは燃焼用空気量との関係で主火炎２１はバーナキャップ９の外方２３にはみ出す現象はないので点火衝突火炎３５と衝突火炎４６と炎口Ａ１６に形成された主火炎２１が干渉することがないので、燃焼時に燃焼用の空気不足等がないので良好な燃焼が得られるので燃焼熱のロスも少ない安全で経済的なガスコンロが提供できる。
【００４０】
また、バーナキャップ９の中央部に開口した二次空気通過孔１０には、被加熱物２２の底の温度を検出し、調理条件の設定や異常加熱状態を検出するための温度センサー３７が配設されている。この温度センサー３７は伸縮自在に可動し、被加熱物２２を載置すると底面に密着して温度を検出する。そして、二次空気通過孔１０を流れる二次空気により冷却されて、火炎による熱的影響は軽減される。
【００４１】
さらに、本実施の形態においては、バーナキャップ９の上面に設けられた炎口Ａ１６は、図４に示すように外周壁１５側に中心側が高くなるように傾斜させて構成しているため、この炎口Ａ１６に形成される火炎はやや外側斜め上向きの旋回流となる。このやや外側斜め上向きの旋回流により、円周方向へ噴き出す力と、排気熱が上方向からさらに被加熱物２２の底を伝って排出される力によりさらに旋回流が生じて、中央の二次空気通過孔１０からより多くの二次空気を吸引することができ良好な燃焼を得ることができるとともに、温度センサー３７の冷却効果を高めて、より正確な温度検出を行うことができる。
【００４２】
また、バーナキャップ９の表面に耐熱表面処理塗装を施すことで、バーナキャップの耐腐食性を向上させることができるとともに、バーナ表面の温度を下げることができ、火炎の炎口からの逆火現象を防ぐことが可能となる。
【００４３】
なお、上記実施の形態においては、バーナキャップ９の上面側の傾斜形態として、中央側が外周側に対して高くなるような傾斜面を有する構成について説明してが、バーナキャップ９の上面を水平とし、この水平面に放射状の炎口を形成した場合でも、傾斜面を有した場合とほぼ同様の効果を得られるものである。そして、傾斜角αはバーナの燃焼特性等を確認しながら、任意の値を選択することで、良好なコンロバーナを提供することができる。
【産業上の利用可能性】
【００４４】
以上のように、本発明のコンロバーナは、熱効率を向上させた省エネルギーで、吹き飛び現象や吹き消え現象に強い安定した燃焼状態を確保するとともに、煮こぼれによる煮汁等の器具内への進入を防止し、長期間にわたってきれいな状態で器具を使用することがで
きる、使い勝手のよい調理器具全般に適用できる。
【図面の簡単な説明】
【００４５】
【図１】本発明の実施の形態におけるコンロバーナを搭載したガス調理器の上面図
【図２】同コンロバーナを搭載したガス調理器の正面図
【図３】同コンロバーナの断面図
【図４】同コンロバーナのバーナキャップにおける炎口部の拡大図
【図５】同コンロバーナの炎口部の断面拡大図
【図６】同コンロバーナのバーナキャップの全体斜視図
【図７】従来のコンロバーナの断面図
【符号の説明】
【００４６】
８  バーナボディ
９  バーナキャップ
１０  ２次空気通過孔
１６  炎口
３７  温度センサー
【図１】
2007139312.tif 000003
【図２】
2007139312.tif 000004
【図３】
2007139312.tif 000005
【図４】
2007139312.tif 000006
【図５】
2007139312.tif 000007
【図６】
2007139312.tif 000008
【図７】
2007139312.tif 000009